(57)【特許請求の範囲】
【請求項１】
方路接続データ記憶レジスタ群に記憶された方路接続データパターンに従い、入力方路と出力方路とを接続するスイッチ部と、
前記スイッチ部を制御するための通常及び予備の方路接続データパターンを記憶するパターン記憶レジスタ群と、
前記パターン記憶レジスタ群に記憶された各々の方路接続データパターンに対応したパターン識別子のうち、いずれかのパターン識別子が設定されたパターン識別子記憶レジスタと、
前記パターン識別子記憶レジスタに設定されたパターン識別子に基づいて、前記パターン記憶レジスタ群から対応する方路接続データパターンを読み出し、この方路接続データパターンを前記スイッチ部内の方路接続データ記憶レジスタ群に設定する方路接続データ制御機能部と、
前記パターン記憶レジスタ群と前記パターン識別子記憶レジスタと前記方路接続データ制御機能部とに接続されたローカルバスと、
パターン識別子を前記パターン識別子記憶レジスタに設定する制御部と、
前記ローカルバスと独立したバスであり、かつ、独立して制御可能であり、前記制御部及び前記パターン識別子記憶レジスタ及び前記パターン記憶レジスタ群に接続され、方路接続データパターンを前記パターン記憶レジスタ群へ設定するときに、及び、パターン識別子を前記パターン識別子記憶レジスタへ設定するときに使用される装置内バスと
を備え、
前記制御部は、障害発生及び障害情報を把握して障害情報に従い障害回避のためのパターン識別子を選択し、前記装置内バスを使用して、前記パターン識別子記憶レジスタのパターン識別子を書き換え、
前記方路接続データ制御機能部は、前記ローカルバスを使用して、前記パターン識別子記憶レジスタからパターン識別子を読み出し、
前記方路接続データ制御機能部は、前記ローカルバスを使用して、パターン識別子に対応する方路接続データパターンを、前記パターン記憶レジスタ群から前記スイッチ部の方路接続データ記憶レジスタ群へ転送して、該方路接続データパターンを前記スイッチ部内の方路接続データ記憶レジスタ群に設定する伝送装置。
【請求項２】
２−Ｆｉｂｅｒ  ＢＬＳＲのリング網を構成する分岐挿入型の伝送装置において、
方路接続データ記憶レジスタ群に記憶された方路接続データパターンに従い、入力方路と出力方路とを接続するスイッチ部と、
前記スイッチ部を制御するための方路接続データパターンとして、平常時において使用する通常の方路接続データパターンと、障害時において使用する、障害区間を通過する情報を平常時と反対方向の伝送路内で且つ平常時において使用していないパスに伝送し、障害区間を迂回するための予備の方路接続データパターンを少なくともリング網の伝送路区間数分記憶するパターン記憶レジスタ群と、
前記パターン記憶レジスタ群に記憶された各々の現用及び予備の方路接続データパターンに対応したパターン識別子のうちいずれかのパターン識別子が設定されるものであって、リング網の障害が発生した場合、障害発生区間の特定後に、前記パターン記憶レジスタ群に記憶された予備の方路接続データパターンの中から障害区間を迂回する予備の方路接続データパターンに対応するパターン識別子が選択され設定されるパターン識別子記憶レジスタと、
前記パターン識別子記憶レジスタに設定されたパターン識別子に基づいて、前記パターン記憶レジスタ群から対応する予備の方路接続データパターンを読み出し、この予備の方路接続データパターンを前記スイッチ部内の方路接続データ記憶レジスタ群に設定することにより障害発生区間を迂回するパス接続に切替えるための方路接続データ制御機能部と、
前記パターン記憶レジスタ群と前記パターン識別子記憶レジスタと前記方路接続データ制御機能部とに接続されたローカルバスと、
パターン識別子を前記パターン識別子記憶レジスタに設定する制御部と、
前記ローカルバスと独立したバスであり、かつ、独立して制御可能であり、前記制御部及び前記パターン識別子記憶レジスタ及び前記パターン記憶レジスタ群に接続され、方路接続データパターンを前記パターン記憶レジスタ群へ設定するときに、及び、パターン識別子を前記パターン識別子記憶レジスタへ設定するときに使用される装置内バスと
を備え、
前記制御部は、障害発生及び障害情報を把握して障害情報に従い障害回避のためのパターン識別子を選択し、前記装置内バスを使用して、前記パターン識別子記憶レジスタのパターン識別子を書き換え、
前記方路接続データ制御機能部は、前記ローカルバスを使用して、前記パターン識別子記憶レジスタからパターン識別子を読み出し、
前記方路接続データ制御機能部は、前記ローカルバスを使用して、パターン識別子に対応する方路接続データパターンを、前記パターン記憶レジスタ群から前記スイッチ部の方路接続データ記憶レジスタ群へ転送して、該方路接続データパターンを前記スイッチ部内の方路接続データ記憶レジスタ群に設定する２−Ｆｉｂｅｒ ＢＬＳＲのリング網を構成する分岐挿入型の伝送装置。
【請求項３】
４−Ｆｉｂｅｒ  ＢＬＳＲのリング網を構成する分岐挿入型の伝送装置において、
方路接続データ記憶レジスタ群に記憶された方路接続データパターンに従い、入力方路と出力方路とを接続するスイッチ部と、
前記スイッチ部を制御するための方路接続データパターンとして、平常時に使用する通常の方路接続データパターンを備え、また、単一現用伝送路障害時において使用する、障害伝送路区間を通過する情報の経路を現用伝送路と並送する予備伝送路へ切替える為の予備の方路接続データパターンと、現用及び予備の両系伝送路障害時において使用する、障害区間を通過する情報を平常時と反対方向の予備伝送路に伝送して障害区間を迂回する為の予備の方路接続データパターンとを、少なくともリング網の伝送路区間数の４倍−２×２個分記憶するパターン記憶レジスタ群と、
前記パターン記憶レジスタ群に記憶された各々の現用及び予備の方路接続データパターンに対応したパターン識別子のうちいずれかのパターン識別子が設定されるものであって、リング網の障害が発生した場合、障害発生区間の特定後に、前記パターン記憶レジスタ群に記憶された予備の方路接続データパターンの中から障害区間を迂回する予備の方路接続データパターンに対応するパターン識別子が選択され設定されるパターン識別子記憶レジスタと、
前記パターン識別子記憶レジスタに設定されたパターン識別子に基づいて、前記パターン記憶レジスタ群から対応する予備の方路接続データパターンを読み出し、この予備の方路接続データパターンを前記スイッチ部内の方路接続データ記憶レジスタ群に設定することにより障害発生区間を迂回するパス接続に切替えるための方路接続データ制御機能部と
前記パターン記憶レジスタ群と前記パターン識別子記憶レジスタと前記方路接続データ制御機能部とに接続されたローカルバスと、
パターン識別子を前記パターン識別子記憶レジスタに設定する制御部と、
前記ローカルバスと独立したバスであり、かつ、独立して制御可能であり、前記制御部及び前記パターン識別子記憶レジスタ及び前記パターン記憶レジスタ群に接続され、方路接続データパターンを前記パターン記憶レジスタ群へ設定するときに、及び、パターン識別子を前記パターン識別子記憶レジスタへ設定するときに使用される装置内バスと
を備え、
前記制御部は、障害発生及び障害情報を把握して障害情報に従い障害回避のためのパターン識別子を選択し、前記装置内バスを使用して、前記パターン識別子記憶レジスタのパターン識別子を書き換え、
前記方路接続データ制御機能部は、前記ローカルバスを使用して、前記パターン識別子記憶レジスタからパターン識別子を読み出し、
前記方路接続データ制御機能部は、前記ローカルバスを使用して、パターン識別子に対応する方路接続データパターンを、前記パターン記憶レジスタ群から前記スイッチ部の方路接続データ記憶レジスタ群へ転送して、該方路接続データパターンを前記スイッチ部内の方路接続データ記憶レジスタ群に設定する４−Ｆｉｂｅｒ  ＢＬＳＲのリング網を構成する分岐挿入型の伝送装置。
【請求項４】
ＵＰＳＲのリング網を構成する分岐挿入型の伝送装置において、
方路接続データ記憶レジスタ群に記憶された方路接続データパターンに従い、入力方路と出力方路とを接続するスイッチ部と、
前記スイッチ部を制御するための方路接続データパターンとして、平常時において使用する、送信側伝送路と同一の方向性を有する伝送路からの入力をドロップする通常方路接続データパターンと、現用伝送路の障害発生時に使用する、送信側伝送路と反対の方向性を有する伝送路からの入力をドロップする予備方路接続データパターンを少なくとも区間数分記憶するパターン記憶レジスタ群と、
前記パターン記憶レジスタ群に記憶された各々の現用及び予備の方路接続データパターンに対応したパターン識別子のうちいずれかのパターン識別子が設定されるものであって、リング網の障害が発生した場合、障害発生区間の特定後に、前記パターン記憶レジスタ群に記憶された予備の方路接続データパターンの中から障害区間を迂回する予備の方路接続データパターンに対応するパターン識別子が選択され設定されるパターン識別子記憶レジスタと、
前記パターン識別子記憶レジスタに設定されたパターン識別子に基づいて、前記パターン記憶レジスタ群から対応する予備の方路接続データパターンを読み出し、この予備の方路接続データパターンを前記スイッチ部内の方路接続データ記憶レジスタ群に設定することにより障害発生区間を迂回するパス接続に切替えるための方路接続データ制御機能部と、
前記パターン記憶レジスタ群と前記パターン識別子記憶レジスタと前記方路接続データ制御機能部とに接続されたローカルバスと、
パターン識別子を前記パターン識別子記憶レジスタに設定する制御部と、
前記ローカルバスと独立したバスであり、かつ、独立して制御可能であり、前記制御部及び前記パターン識別子記憶レジスタ及び前記パターン記憶レジスタ群に接続され、方路接続データパターンを前記パターン記憶レジスタ群へ設定するときに、及び、パターン識別子を前記パターン識別子記憶レジスタへ設定するときに使用される装置内バスと
を備え、
前記制御部は、障害発生及び障害情報を把握して障害情報に従い障害回避のためのパターン識別子を選択し、前記装置内バスを使用して、前記パターン識別子記憶レジスタのパターン識別子を書き換え、
前記方路接続データ制御機能部は、前記ローカルバスを使用して、前記パターン識別子記憶レジスタからパターン識別子を読み出し、
前記方路接続データ制御機能部は、前記ローカルバスを使用して、パターン識別子に対応する方路接続データパターンを、前記パターン記憶レジスタ群から前記スイッチ部の方路接続データ記憶レジスタ群へ転送して、該方路接続データパターンを前記スイッチ部内の方路接続データ記憶レジスタ群に設定するＵＰＳＲのリング網を構成する分岐挿入型の伝送装置。
【請求項５】
方路接続データ記憶レジスタ群に記憶された方路接続データに従い、入力方路と出力方路とを接続するスイッチ部と、
前記スイッチ部を制御するための方路接続データパターンとして、２−Ｆｉｂｅｒ  ＢＬＳＲのリング網を構成する分岐挿入型の伝送装置として機能するための、平常時において使用する通常の方路接続データパターンと、障害時において使用する、障害区間を通過する情報を平常時と反対方向の伝送路内で且つ平常時において使用していないパスに伝送し、障害区間を迂回するための予備の方路接続データパターンを少なくともリング網の伝送路区間数分記憶する第１のパターン記憶レジスタ群と、
前記スイッチ部を制御するための方路接続データパターンとして、４−Ｆｉｂｅｒ  ＢＬＳＲのリング網を構成する分岐挿入型の伝送装置として機能するための、平常時に使用する通常の方路接続データパターンを備え、また、単一現用伝送路障害時において使用する、障害伝送路区間を通過する情報の経路を現用伝送路と並送する予備伝送路へ切替える為の予備の方路接続データパターンと、現用及び予備の両系伝送路障害時において使用する、障害区間を通過する情報を平常時と反対方向の予備伝送路に伝送して障害区間を迂回する為の予備の方路接続データパターンとを、少なくともリング網の伝送路区間数の４倍−２×２個分記憶する第２のパターン記憶レジスタ群と、
前記スイッチ部を制御するための方路接続データパターンとして、ＵＰＳＲのリング網を構成する分岐挿入型の伝送装置として機能するための、平常時において使用する、送信側伝送路と同一の方向性を有する伝送路からの入力をドロップする通常方路接続データパターンと、現用伝送路の障害発生時に使用する、送信側伝送路と反対の方向性を有する伝送路からの入力をドロップする予備方路接続データパターンを少なくとも区間数分記憶する第３のパターン記憶レジスタ群と、
前記第１乃至第３のパターン記憶レジスタ群に記憶された各々の現用及び予備の方路接続データパターンに対応したパターン識別子のうちいずれかのパターン識別子が設定されるものであって、リング網の障害が発生した場合、障害発生区間の特定後に、リング網の種類に応じて、前記第１乃至第３のパターン記憶レジスタ群に記憶された予備の方路接続データパターンの中から障害区間を迂回する予備の方路接続データパターンに対応するパターン識別子が選択され設定されるパターン識別子記憶レジスタと、
前記パターン識別子記憶レジスタに設定されたパターン識別子に基づいて、前記第１乃至第３のパターン記憶レジスタ群から対応する予備の方路接続データパターンを読み出し、この予備の方路接続データパターンを前記スイッチ部内の方路接続データ記憶レジスタ群に設定することにより、２−Ｆｉｂｅｒ  ＢＬＳＲ、４−Ｆｉｂｅｒ  ＢＬＳＲ及びＵＰＳＲのリング網のうち選択されたいずれかのリング網に対応して、障害発生区間を迂回するパス接続に切替えるための方路接続データ制御機能部と、
前記第１乃至第３のパターン記憶レジスタ群と前記パターン識別子記憶レジスタと前記方路接続データ制御機能部とに接続されたローカルバスと、
パターン識別子を前記パターン識別子記憶レジスタに設定する制御部と、
前記ローカルバスと独立したバスであり、かつ、独立して制御可能であり、前記制御部及び前記パターン識別子記憶レジスタ及び前記第１乃至第３のパターン記憶レジスタ群に接続され、方路接続データパターンを前記第１乃至第３のパターン記憶レジスタ群へ設定するときに、及び、パターン識別子を前記パターン識別子記憶レジスタへ設定するときに使用される装置内バスと
を備え、
前記制御部は、障害発生及び障害情報を把握して障害情報に従い障害回避のためのパターン識別子を選択し、前記装置内バスを使用して、前記パターン識別子記憶レジスタのパターン識別子を書き換え、
前記方路接続データ制御機能部は、前記ローカルバスを使用して、前記パターン識別子記憶レジスタからパターン識別子を読み出し、
前記方路接続データ制御機能部は、前記ローカルバスを使用して、パターン識別子に対応する方路接続データパターンを、前記第１乃至第３のパターン記憶レジスタ群のいずれかから前記スイッチ部の方路接続データ記憶レジスタ群へ転送して、該方路接続データパターンを前記スイッチ部内の方路接続データ記憶レジスタ群に設定する伝送装置。
【請求項６】
前記パターン識別子記憶レジスタは、
同期ディジタル・ハイアラーキ（Synchronous  digital  hierarchy，ＳＤＨ）信号のフレーム信号受信タイミングと同期したタイミング、又は、ＳＤＨ信号のフレームと同一周期の装置内フレーム信号受信タイミングで、周期的又は方路変更の必要時に使用すべき方路接続データパターンに対応したパターン識別子が書き込まれることを特徴とする請求項１乃至５のいずれかに記載の伝送装置。
【請求項７】
方路接続データ記憶機能に記憶された方路接続データパターンに従い、入力方路と出力方路とを接続するスイッチ機能と、
前記スイッチ機能を制御するための通常及び予備の方路接続データパターンを記憶するパターン記憶機能と、
前記パターン記憶機能に記憶された各々の方路接続データパターンに対応したパターン識別子のうち、いずれかのパターン識別子が設定されるパターン識別子記憶機能と、
前記パターン識別子記憶機能に設定されたパターン識別子に基づいて、前記パターン記憶機能から対応する方路接続データパターンを読み出し、この方路接続データパターンを前記スイッチ機能内の方路接続データ記憶機能に設定する方路接続データ制御機能と
を備え、
制御部が、障害発生及び障害情報を把握して障害情報に従い障害回避のためのパターン識別子を選択し、
制御部が、ローカルバスと独立したバスであり、かつ、独立して制御可能であり、前記制御部及び前記パターン識別子記憶レジスタ及び前記パターン記憶レジスタ群に接続され、方路接続データパターンを前記パターン記憶レジスタ群へ設定するときに、及び、パターン識別子を前記パターン識別子記憶レジスタへ設定するときに使用される装置内バスを使用して、前記パターン識別子記憶機能のパターン識別子を書き換え、
前記方路接続データ制御機能は、前記パターン記憶レジスタ群と前記パターン識別子記憶レジスタと前記方路接続データ制御機能部とに接続されたローカルバスを使用して、前記パターン識別子記憶機能からパターン識別子を読み出し、
前記方路接続データ制御機能は、前記ローカルバスを使用して、パターン識別子に従って前記パターン記憶機能から前記スイッチ機能の方路接続データ記憶機能へ方路接続データパターンを転送して、方路接続データパターンを前記スイッチ機能内の方路接続データ記憶機能に設定することにより、入力方路と出力方路の接続変更を行うようにした伝送方法。
【発明の詳細な説明】
【０００１】
【発明の属する技術分野】
本発明は、伝送装置及び伝送方法に係り、特に、障害発生時に方路接続変更により障害発生箇所を迂回するようにした分岐挿入型リング網を形成する伝送装置及び伝送方法に関する。
【０００２】
【従来の技術】
まず、方路接続部に関する従来技術について説明する。このような方路接続部は、分岐挿入型リング網を形成する時分割多重伝送装置に適用されている。従来において、実際の方路接続は、一般的な時空間スイッチ機能を用いて実現される。以下に、従来の時空間スイッチの制御方法について述べる。
【０００３】
従来、スイッチの制御を行う為には、スイッチングを制御するスイッチングパターンを記憶するレジスタに対し、直接ＣＰＵから装置内バスを使用してスイッチングデータを書き込む方式がとられている（「ディジタル交換方式（社団法人電子情報通信学会）  ４３頁  図３．１８（ｂ）等参照。）。尚、方路接続制御においては、方路接続データがスイッチングデータに、方路接続データの記憶機能がスイッチングパターンの記憶機能に対応する。
【０００４】
次に、方路接続部をネットワークに適用した例として、セルフヒーリングリングネットワークにおけるリングパス切替について説明する。ここでは、方路接続部は、パス接続部と呼ばれることがある。
【０００５】
リングパス切替は、一般に、分岐・挿入及び通過型の方路接続機能を持つ伝送装置をリング状に配置したネットワークにおいて適用される（特開平７−２１２３８１等参照。）。運用形態としては、リング上の２つのノード間で分岐及び挿入パスを設定し、通過区間上に配置されたノードでは通過パスを設定することにより、ポイント・トゥ・ポイントの伝送ルートが実現される。リングネットワークでは、リングという性格上、２点を接続するルートとして時計回りと反時計回りの２通りのルートが考えられる。セルフヒーリングリングでは、時計回り又は反時計回りのうち、一方を通常状態のルートとし、障害発生時に用いられる通常とは反対方向のルートを迂回ルートとする。これにより障害発生時にも、障害発生区間を迂回する形で、信号伝送ルートを確保することが出来る。通常ルート又は迂回ルートの選択は、方路接続部に対して、方路接続パターンを変更することにより実現される。
【０００６】
一般に、リング型ネットワークの例としては、2-Fiber Bidirectional Line  Switched Ring（２−Ｆｉｂｅｒ  ＢＬＳＲ）、4-Fiber Bidirectinal Line Switched Ring（４−  Ｆｉｂｅｒ  ＢＬＳＲ）、Unidirectional Path Switched Ring（ＵＰＳＲ）がある。以下の説明では、一例として、４つのノードＡ〜Ｄによりリング網が形成されたネットワークについて説明する。
【０００７】
図１７に、２−Ｆｉｂｅｒ  ＢＬＳＲのネットワークの説明図を示す。２−Ｆｉｂｅｒ  ＢＬＳＲは、各ノードＡ〜Ｄ間を２本の回線で接続し、一方を現用、他方を予備として用いる方式である。図１７（Ａ）に示すように、通常時のパスの設定では、上りと下りは同一の経路を通過する（太線参照）。図１７（Ｂ）に、このようなネットワークにおいて、例えばノードＡ−Ｂ間の回線１０又は１１に障害が発生した場合を示す。この場合、障害区分を通過するパスを反対回り方向の予備容量を用いて迂回（リングスイッチ）させる（太線参照）。このときリングスイッチを実行するのは、障害端ノード（本例では、ノードＡとＢ）である。その他のノードは中継処理を実行する。
【０００８】
図１８及び図１９に、４−Ｆｉｂｅｒ  ＢＬＳＲのネットワークの説明図を示す。４−Ｆｉｂｅｒ  ＢＬＳＲは、現用回線と予備回線を設け、各ノード間を４本の回線で接続する（例えば、ノードＡ−Ｂ間は、現用回線２０及び２１と、予備回線２２及び２３で接続される）。このネットワークは、通常時は現用回線２０及び２１等を用いて伝送し、障害発生時などには予備回線２２及び２３等を用いてトラヒックを救済する方式である。図１８に示すように、通常時のパス設定では、上りと下りの伝送信号は、同一の経路を通過する（太線参照）。
【０００９】
図１９（Ａ）に、このようなネットワークにおいて、例えばノードＡ−Ｂ間の現用回線２０にのみ障害が発生した場合を示す。この場合、ノードＡ及びＢのスパンスイッチにより、障害区間を通過するパスを予備回線２２及び２３を用いて伝送する（太線参照）。また、図１９（Ｂ）に示すように、ノードＡ−Ｂ間の現用回線と予備回線の両方に障害が発生した場合、障害区間を通過するパスを反対回りの方向の予備回線に迂回（リングスイッチ）させる（太線参照）。このようなスパンスイッチやリングスイッチを実行するのは、障害端ノード（本例では、ノードＡとＢである。）である。その他のノードでは、伝送信号の中継処理を実行する。
【００１０】
図２０に、ＵＰＳＲのネットワークの説明図を示す。図２０（Ａ）に示すように通常時のパスの設定では、上りと下りは異なる経路（同一方向経路）を通過する。すなわち、反時計回り方向（Counter Clockwise 、ＣＣＷ）のパスが現用であり、通常は現用を用いて伝送する（太線参照）。一方、時計回り方向（Clockwise 、ＣＷ）のパスは予備である。ここで図２０（Ｂ）に示すように、現用と予備の両方にパスを設定し、通常時はパス終端ノードにおいてセレクタ３１等により現用側（ＣＣＷ）を選択する。一方、ノードＡ−Ｂ間に障害が発生した場合、パス終端ノードでは予備側（ＣＷ）を選択することにより障害から復旧する（太線参照）。
【００１１】
【発明が解決しようとする課題】
通常、１本の伝送路内には複数のパスが存在している。セルフヒーリング・リングパス切替を実現する為には、障害区間の両端ノードで、通過ルートを設定されている全パスに対しては一斉に迂回ルートの設定を行い、分岐及び挿入パスに対しては障害区間と反対方向への方路接続を行う必要がある。よって、従来においては、セルフヒーリングリングのリングパス切替を実現する為には、瞬間的に大量の方路接続を行う必要があった。そして、セルフヒーリングリングのノード装置に対し、このような従来のスイッチ制御方式の方路接続部を組み合わせると、装置内バスを使用して大量の方路接続を行うことが必要になる。
【００１２】
従って、従来の方路接続制御方式を取った場合、次の三つの問題が発生する場合がある。すなわち、
第一に、大量のデータ転送を伴う為、転送処理に時間がかかること、
第二に、従来方式において、データ転送媒体である装置内バスは、一般に方路接続制御のみならず、周期的な装置内監視やその他の制御処理にも使用されている。そのため、瞬間的に大量のデータ転送を伴う方路接続制御を装置内バスを使用して行った場合、こうした他のトラフィックを圧迫する可能性があること、
第三に、従来方式を使用して、方路接続情報の書き換えを行った場合、旧方路接続パターンから新方路接続パターンへの書き換え過渡状態が、転送処理と同様に、長時間に渡ること。
【００１３】
本発明は、以上の点に鑑み、次のような目的を達成するものである。すなわち、
第一に、方路接続データの転送速度を短縮すること、
第二に、方路接続制御時における、装置内バスのトラフィックに対する影響を緩和すること、
第三に、旧方路接続パターンから新方路接続パターンへ切替える切替過渡状態を短縮することである。
【００１４】
【課題を解決するための手段】
上述のような課題を解決する為に、本発明においては、次のような方路接続部の構成を採用した。先ず、方路接続部の内部に、次のような構成を備える。第１に、２パターン以上の方路接続データパターンを記憶することができるパターン記憶レジスタ群を設ける。第２に、現在使用中の方路接続データパターンを記憶しているパターン記憶レジスタ群のパターン識別子を記憶するパターン識別子記憶レジスタを設ける。尚、ここで追加したこれらの機能に対しては、例えば、装置内バス経由で、方路接続部と異なる機能部より、データの書き込みを行うことが可能である。
【００１５】
本発明の伝送装置及び伝送方法の動作概略は、次のようになる。先ず、方路接続データパターンを記憶するパターン記憶レジスタ群には、予め方路接続データパターンを複数記憶しておく。伝送装置に対して方路制御要求があった場合には、これらの通常又は予備の方路接続パターンのうち何れかひとつを指定する。方路接続データパターンには、パターンの群毎にパターン識別子を付与しておき、通常又は予備の方路接続データパターンを指定するときには、このパターン識別子のみを指定する。
【００１６】
この時の具体的なデータ転送ルートは、例えば、次のようになる。先ず、方路接続の変更の必要性を判断する機能を有する制御部（ＣＰＵ）から、装置内バスを使用して、現在使用中の方路接続データパターンのパターン識別子を記憶するパターン識別子記憶レジスタに対して、新しい予備の方路接続データパターンのパターン識別子を指定する。これ以降、方路接続は、新しく設定された方路接続データパターンに従って行われる。このような手順を取った場合、ＣＰＵと方路接続部の間で装置内バスを介して転送されるデータは、予備パターンを指定するパターン識別子のみである。この為、装置内バスを通常使用するトラフィックを圧迫することなく、方路接続の変更を実現することができる。
【００１７】
本発明の第１の解決手段によれば、
方路接続データ記憶レジスタ群に記憶された方路接続データパターンに従い、入力方路と出力方路とを接続するスイッチ部と、
前記スイッチ部を制御するための通常及び予備の方路接続データパターンを記憶するパターン記憶レジスタ群と、
前記パターン記憶レジスタ群に記憶された各々の方路接続データパターンに対応したパターン識別子のうち、いずれかのパターン識別子が設定されたパターン識別子記憶レジスタと、
前記パターン識別子記憶レジスタに設定されたパターン識別子に基づいて、前記パターン記憶レジスタ群から対応する方路接続データパターンを読み出し、この方路接続データパターンを前記スイッチ部内の方路接続データ記憶レジスタ群に設定する方路接続データ制御機能部と
を備えた伝送装置を提供する。
【００１８】
また、本発明の第２の解決手段によれば、
方路接続データ記憶機能に記憶された方路接続データパターンに従い、入力方路と出力方路とを接続するスイッチ機能と、
前記スイッチ機能を制御するための通常及び予備の方路接続データパターンを記憶するパターン記憶機能と、
前記パターン記憶機能に記憶された各々の方路接続データパターンに対応したパターン識別子のうち、いずれかのパターン識別子が設定されたパターン識別子記憶機能と、
前記パターン識別子記憶機能に設定されたパターン識別子に基づいて、前記パターン記憶機能から対応する方路接続データパターンを読み出し、この方路接続データパターンを前記スイッチ機能内の方路接続データ記憶機能に設定する方路接続データ制御機能と
を備え、
前記パターン識別子記憶機能に対して、パターン識別子の書き換えを行うことにより、入力方路と出力方路の接続変更を行うようにした伝送方法を提供する。
【００１９】
【発明の実施の形態】
（１）方路接続部
図１には、本発明に係わる方路接続部の構成図を示す。本実施の形態の方路接続部１０１は、方路接続を実際に行うスイッチ部（スイッチ機能）１０２、パターン記憶レジスタ群（パターン記憶機能）１０３、方路接続データ制御機能部１０４、パターン識別子記憶レジスタ（パターン識別子記憶機能）１０５、方路接続部１０１内部のローカルバス１０６を備えている。また、方路接続部１０１は、外部の制御部（ＣＰＵ）１０８、主信号インタフェース部１０９及び装置内クロック処理部１１０と、装置内バス１０７により接続されている。装置内バス１０７には、例えば、パターン記憶レジスタ群１０３及びパターン識別子記憶レジスタが接続されている。
【００２０】
次に、本発明の実施の形態における詳細な方路接続部の構成及び動作について述べる。この実施の形態では、スイッチ部１０２は、スイッチ入力１２１〜１３０の１０本の入力を有し、スイッチ出力１３１〜１４０の１０本の出力を有している。さらにスイッチ部１０２は、方路接続データの記憶機能を実現する方路接続データ記憶レジスタ群１７１〜１８０を含む。尚、時分割多重装置の方路接続部１０１は、前段に直並列変換機能１９１及び１９２を、後段に並直列変換機能１９３及び１９４を有している。二本の時分割多重データ１９５及び１９６は、直並列変換機能１９１及び１９２により、各々スイッチ入力１２１〜１２４及び１２５〜１２８に展開される。また、スイッチ出力１３１〜１３４及び１３５〜１３８は、並直列変換機能１９３及び１９４により、二本の時分割多重データ１９７及び１９８へ時分割多重される。スイッチ入力１２１〜１３０は、各々論理的又は物理的な入力側スイッチ接点１５１〜１６０を持ち、スイッチ出力１３１〜１４０は、各々論理的又は物理的な出力側スイッチ接点１６１〜１７０を持っている。出力側スイッチ接点１６１〜１７０は、入力側スイッチ接点１５１〜１６０へ任意に接続することが可能で、出力側スイッチ接点１６１〜１７０と入力側スイッチ接点１５１〜１６０を接続することで、論理的又は物理的な１０本の方路１８１〜１９０を構成する。
【００２１】
出力側スイッチ接点１６１〜１７０は、各々方路接続データ記憶レジスタ群１７１〜１８０に書き込まれているデータに従って、方路接続を行う。ここで、方路接続データ記憶レジスタ群１７１〜１８０で記憶している方路接続データを、ひとまとまりの方路接続データパターンとして扱い、予め予測され得る方路接続データパターンをパターン記憶レジスタ群１０３に複数パターン登録しておく。本実施の形態では、パターン記憶レジスタ群１０３は、一例として、ひとつの通常の方路接続データパターン１１１と、４つの予備の方路接続データパターン１１２〜１１５を記憶することを可能としている。パターン記憶レジスタ群１０３に登録されている方路接続データパターンには、各々固有のパターン識別子が付与されており、本実施の形態では、方路接続データパターン１１１〜１１５に対応するパターン識別子を、単に、それぞれパターン識別子”１１１”〜”１１５”としている。
【００２２】
パターン識別子記憶機能レジスタ１０５では、予めパターン記憶レジスタ群１０３に登録されている方路接続データパターン１１１〜１１５のうち、現在運用している方路接続パターンのパターン識別子を記憶している。方路接続データ制御機能部１０４は、先ず、パターン識別子記憶レジスタ１０５から、運用中の方路接続データパターンのパターン識別子を読み出し、このパターン識別子により運用として指定されている方路接続データパターンをパターン記憶レジスタ群１０３より読み出す。次に、方路接続データ制御機能部１０４は、読み出した方路接続データパターンを対応する方路接続データ記憶レジスタ群１７１〜１８０へ設定する。尚、識別子記憶レジスタ１０５に記憶されたパターン識別子に基づいて、パターン記憶レジスタ群１０３を介せずに、装置内パス１０７から直接に方路接続データ記憶レジスタ群１７１〜１８０に転送するようにしても良い。
【００２３】
方路接続部１０１の外部及び内部において、方路接続パターンデータの転送ルートの構成は、以下の様になっている。まず、方路接続部１０１は、外部インタフェースとして、装置内バス１０７に接続される。方路接続部１０１において、主に装置内バス１０７とのインタフェースを使用するのは、パターン識別子記憶レジスタ１０５及びパターン記憶レジスタ群１０３である。装置内バス１０７は、装置全般の各機能部、即ち方路接続部１０１の外部の各機能にも接続されており、本実施の形態ではＣＰＵ１０８、主信号インタフェース部１０９、装置内クロック処理部１１０等に接続されている。
【００２４】
次に、方路接続部１０１の内部インタフェースとしては、各機能はローカルバス１０６に接続される。ローカルバス１０６には、パターン記憶レジスタ群１０３、方路接続データ制御機能部１０４、パターン識別子記憶レジスタ１０５及び方路接続データ記憶レジスタ群１７１〜１８０を接続する。ローカルバス１０６は、装置内バス１０７とは完全に独立したバスであり、独立した制御が可能である。また、このローカルバス１０６は、方路接続部１０１内部の方路接続データの転送及びその制御データの転送のみに使用されるよう構成することができる。本実施の形態では、ローカルバス１０６のデータ転送制御は、方路接続データ制御機能部１０４が行う。
【００２５】
つぎに、方路接続パターンデータの転送機能の分担及び動作は、以下の様になっている。
【００２６】
装置内バス１０７は、例えば、初期立ち上げにおける設定時に使用される。即ち、方路接続データパターンをパターン記憶レジスタ群１０３へ設定するときに使用されたり、また、方路接続を変更する要求が発生した場合においてパターン識別子をパターン識別子記憶レジスタ１０５へ設定するとき等に使用される。なお、方路接続部１０１の外部に設置されたＣＰＵ１０８等の伝送装置内の監視制御機能が、各動作の制御を行う。一方、ローカルバス１０６は、例えば、方路接続データ制御機能部１０４のパターン識別子記憶レジスタ１０５からのパターン識別子の読出時に使用されたり、また、パターン記憶レジスタ群１０３から方路接続データ記憶レジスタ群１７１〜１８０への方路接続データの転送時等に使用される。なお、ローカルバス１０６のデータ転送制御は、方路接続データ制御機能部１０４が行う。
【００２７】
実際に、方路接続パターンの変更要求が発生した場合には、伝送装置は、最初に、伝送された制御チャネル・制御情報等に基づき、ＣＰＵ１０８により障害発生及び障害位置・状況等の障害情報を把握する。ＣＰＵ１０８は、障害情報に従い装置内パス１０７を使用して障害回避のために適当なパターン識別子を選択して、パターン識別子記憶レジスタ１０５の内容を書き換える。二番目に、方路接続データ制御機能部１０４が、ローカルバス１０６を使用して、パターン識別子記憶レジスタ１０５からパターン識別子の読み出しを行う。三番目に、方路接続データ制御機能部１０４は、ローカルバス１０６を使用して、パターン識別子に従ってパターン記憶レジスタ群１０３から方路接続データ記憶レジスタ群１７１〜１８０への方路接続データの転送を行う。このようにして、方路接続部１０１は、方路接続データの転送を装置内バス１０７から切り離し、装置内バス１０７上は方路接続データを圧縮したデータであるパターン識別子の転送のみを行うようにして、方路接続変更時におけるトラフィックの圧縮を行う。
【００２８】
なお、パターン識別子記憶レジスタ１０５には、例えば、同期ディジタル・ハイアラーキ（Synchronous digital hierarchy,ＳＤＨ）信号のフレーム信号受信タイミングと同期したタイミング、又は、ＳＤＨ信号のフレームと同一周期の装置内フレーム信号受信タイミングで、周期的又は障害発生のような方路変更の必要時等に、適宜使用すべき方路接続データパターンに対応したパターン識別子を書き込むことができる。
【００２９】
（２）２−Ｆｉｂｅｒ  ＢＬＳＲのリング網
つぎに、リングパス切替制御に関する伝送方法について説明する。ここでは、一例として、セルフヒーリングリングのリングパス切替への適用例を示したものである。尚、以下の説明では、上述の方路接続部１０１は、リング網におけるパス接続部として機能する。
【００３０】
まず、図２及び図３に、一般的なセルフヒーリングリングにおけるリングパス切替の説明図を示す。ここでは、一例として最も簡単なリング網である２−Ｆｉｂｅｒ  ＢＬＳＲのリング構成を示して説明する。
【００３１】
図２（Ａ）に示されるように、リング網２００は、一例として、３つの伝送装置２０１〜２０３を備える。ここでは、時計回りに伝送装置２０１、２０２及び２０３の順に配置し、時計回りの方向へのデータ伝送を行うルート１本と、反計回りの方向へのデータ伝送を行うルート１本の計２本のルートでネットワークを構成している。時計回りのルート上には、伝送装置２０１を起点に伝送装置２０１及び２０２間に伝送路２１１、伝送装置２０２及び２０３間に伝送路２１２、伝送装置２０３及び２０１間に伝送路２１３を、それぞれ配置する。反時計回りのルート上には、伝送装置２０１を起点に伝送装置２０１及び２０３間に伝送路２２３、伝送装置２０３及び２０２間に伝送路２２２、伝送装置２０２及び２０１間に伝送路２２１を、それぞれ配置する。伝送装置２０１〜２０３には、各々リング網外部へのデータの分岐・挿入伝送路を配置する。伝送装置２０１には、挿入伝送路２３１及び分岐伝送路２４１を配置する。伝送装置２０２には、挿入伝送路２３２及び分岐伝送路２４２を配置する。伝送装置２０３には、挿入伝送路２３３及び分岐伝送路２４３を配置する。
【００３２】
図２（Ｂ）は、通常時における伝送装置２０１を起点とした、伝送装置２０１と伝送装置２０２間、伝送装置２０１と伝送装置２０３間のパスのルートの例を示したものである。本例では、伝送装置２０１及び２０２間のデータ転送は、直接これらを接続する伝送路２１１及び２２１を使用し、伝送装置２０１及び２０３間のデータ転送は、直接これらを接続する伝送路２１３及び２２３を使用して、双方向のパスを設定している。伝送装置２０１から伝送装置２０２へのデータの転送は、伝送装置２０１の挿入伝送路２３１から、時計回り方向のデータ転送を行う伝送路２１１を経由して、伝送装置２０２の分岐伝送路２４２へ方路接続をして行う。一方、伝送装置２０２から伝送装置２０１へのデータの転送は、伝送装置２０２の挿入伝送路２３２から、反時計回り方向のデータ転送を行う伝送路２２１を経由して、伝送装置２０１の分岐伝送路２４１へ方路接続をして行う。また、伝送装置２０１から伝送装置２０３へのデータの転送は、伝送装置２０１の挿入伝送路２３１から、反時計回り方向のデータ転送を行う伝送路２２３を経由して、伝送装置２０３の分岐伝送路２４３へ方路接続をして行う。一方、伝送装置２０３から伝送装置２０１へのデータの転送は、伝送装置２０３の挿入伝送路２３３から、時計回り方向のデータ転送を行う伝送路２１３を経由して、伝送装置２０１の分岐伝送路２４１へ方路接続をして行う。この様な方路接続により、伝送装置２０１及び２０２間、伝送装置２０１及び２０３間、伝送装置２０２及び２０３間の全ての装置間で、データの授受を行う。この方路接続においては、通常時、伝送装置２０２及び伝送装置２０３では、分岐・挿入パスのみ存在し、経由パスは存在しない。また、通常時には、伝送路２１２及び２２２を通るデータは存在しない。
【００３３】
図３（Ａ）は、伝送装置２０１及び２０２間の伝送路２１１又は２２１に障害が発生した場合の伝送装置２０１及び２０２間のパスのルートの例を示したものである。この例では、障害伝送路である伝送路２１１及び２２１を、この伝送路区間の両端の伝送装置のパス設定により、迂回する形で、双方向のパスを設定している。尚、障害伝送路区間の両端の伝送装置で行われる迂回の方法は、通常時、障害区間へ送出するパスを障害区間の手前で折り返す方法を取っている。伝送装置２０１から伝送装置２０２へのデータの転送については、伝送装置２０１の挿入伝送路２３１から、反時計回りのルート設定を行い、伝送路２２３、伝送装置２０３及び伝送路２２２を経由して、伝送装置２０２の分岐伝送路２４２へ方路接続を行うことにより、実現する。伝送装置２０２から伝送装置２０１へのデータの転送については、伝送装置２０２の挿入伝送路２３２から、時計回りのルート設定を行い、伝送路２１２、伝送装置２０３及び伝送路２１３を経由して、伝送装置２０１の分岐伝送路２４１へ方路接続を行うことにより、実現する。尚、通常時、障害区間と関係無い方路接続を行っている伝送装置２０１及び２０３間の方路接続は、変更しない。
【００３４】
また、伝送装置２０２と伝送装置２０３間のデータ転送は、次の様にして行われる。このとき伝送装置２０３での分岐・挿入パスの変更は行わない。伝送装置２０２から伝送装置２０３へのデータは、先ず伝送装置２０２で障害伝送路区間と反対側の伝送路２１２へ送出される。このデータを受けた伝送装置２０３では、このデータを分岐せず、そのまま伝送装置２０１へ転送するパス設定を行う。伝送装置２０１では、このデータを伝送路２１３より受け、入力側と同一方向の伝送路２２３へ折り返し送出するパス設定を行う。尚、この時の送出先のパスとしては、通常時、伝送装置２０２から伝送装置２０３へデータの転送を行っているパスをそのまま使用する。これにより、伝送装置２０２から伝送装置２０３方向のデータ転送を実現する。
【００３５】
一方、伝送装置２０３から伝送装置２０２へのデータは、先ず伝送装置２０３で通常時と同様、伝送路２１３へ送出される。このデータを受けた伝送装置２０１では、このデータを伝送路２１３より受け、入力側と同一方向の伝送路２２３へ折り返し送出するパス設定を行う。伝送装置２０３は、このデータをそのまま伝送装置２０２へ転送するパス設定を行う。即ち、伝送路２２３からの受信パスと、伝送路２２２への送信パスを接続する。これにより、伝送装置２０３から伝送装置２０２方向のデータ転送を実現する。
【００３６】
各伝送装置毎の動作で言うと、伝送装置２０１では、伝送装置２０３と自身の間でやりとりするパスの変更は行わない。伝送装置２０２へのデータ送信及び伝送装置２０２からのデータ受信は、単純に、障害区間の反対側に新たに設定し直したパスへ挿入及び分岐する。伝送装置２０３から伝送装置２０２へのデータは、伝送路２１３中の通常と同一のパスを受信し、障害区間の手前で折り返す形で、元来た側の伝送路である伝送路２２３中の新しいパスへ送信するパス設定を行う。伝送装置２０２から伝送装置２０３へのデータは、伝送路２１３中の新たなパスより受信し、これを障害区間を折り返す形で、元来た側の伝送路である伝送路２２３中の通常と同一のパスへ送信するパス設定を行う。
【００３７】
伝送装置２０２では、通常使用する側の伝送路が障害で使用出来ない為、分岐挿入とも単純に装置の反対側で行うように方路接続の変更を行う。伝送装置２０３では、分岐及び挿入については通常時からの変更を行わない。しかし、新たに伝送装置２０２から伝送装置２０１へのデータ転送の為の通過パス、伝送装置２０２から自身へのデータ転送の為の通過パス、伝送装置２０１から伝送装置２０２へのデータ転送の為の通過パス、及び、自身から伝送装置２０２へのデータ転送の為伝送装置２０１より折り返ってきたデータの通過パス、という４つの通過パスを新規に追加する。
【００３８】
図３（Ｂ）は、伝送装置２０１及び２０３間の伝送路２１３又は２２３に障害が発生した場合の、伝送装置２０１及び２０３間のパスのルートの例を示したものである。この例では、障害伝送路である伝送路２１３及び２２３を、この伝送路区間の両端装置のパス設定により迂回する形で、双方向のパスを設定している。尚、障害伝送路区間の両端の装置で行われる迂回の方法は、通常時、障害区間へ送出するパスを障害区間の手前で折り返す方法を取る。伝送装置２０１から伝送装置２０３へのデータの転送については、伝送装置２０１の挿入伝送路２３１から、時計回りのルート設定を行い、伝送路２１１、伝送装置２０２及び伝送路２１２を経由して、伝送装置２０３の分岐伝送路２４３へ方路接続を行うことにより実現する。伝送装置２０３から伝送装置２０１へのデータの転送については、伝送装置２０３の挿入伝送路２３３から、反時計回りのルート設定を行い、伝送路２２２、伝送装置２０２及び伝送路２２１を経由して、伝送装置２０１の分岐伝送路２４１へ方路接続を行うことにより、実現する。尚、通常時、障害区間と関係無い方路接続を行っている伝送装置２０１及び２０２間の方路接続は、変更しない。
【００３９】
また、伝送装置２０２と伝送装置２０３間のデータ転送は、次の様にして行われる。この際、伝送装置２０２での分岐及び挿入パスの変更は行わない。伝送装置２０３から伝送装置２０２へのデータは、先ず伝送装置２０３で障害伝送路区間と反対側の伝送路２２２へ送出される。このデータを受けた伝送装置２０２では、このデータを分岐せず、そのまま伝送装置２０１へ転送するパス設定を行う。伝送装置２０１では、このデータを伝送路２２１より受け、入力側と同一方向の伝送路２１１へ折り返し送出するパス設定を行う。尚、この時の送出先のパスとしては、通常時、伝送装置２０３から伝送装置２０２へデータの転送を行っているパスをそのまま使用する。これにより、伝送装置２０３から伝送装置２０２への方向のデータ転送を実現する。
【００４０】
一方、伝送装置２０２から伝送装置２０３へのデータは、先ず伝送装置２０２で通常時と同様、伝送路２２１へ送出される。伝送装置２０１では、このデータを伝送路２２１より受け、入力側と同一方向の伝送路２１１へ折り返し送出するパス設定を行う。伝送装置２０２は、このデータをそのまま伝送装置２０３へ転送するパス設定を行う。即ち、伝送路２１１からの受信パスと、伝送路２１２への送信パスを接続する。これにより、伝送装置２０３から伝送装置２０２方向のデータ転送を実現する。
【００４１】
各伝送装置毎の動作で言うと、伝送装置２０１では、伝送装置２０２と自身の間でやりとりするパスの変更は行わない。伝送装置２０３へのデータ送信及び伝送装置２０３からのデータ受信は、単純に、障害区間の反対側に新たに設定し直したパスへ挿入及び分岐する。伝送装置２０２から伝送装置２０３へのデータは、伝送路２２１中の通常と同一のパスで受信し、障害区間の手前で折り返す形で、元来た側の伝送路である伝送路２１１中の新しいパスへ送信するパス設定を行う。伝送装置２０３から伝送装置２０２へのデータは、伝送路２２２中の新たなパスより受信し、これを障害区間を折り返す形で、元来た側の伝送路である２１１中の通常と同一のパスへ送信するパス設定を行う。
【００４２】
伝送装置２０２では、分岐及び挿入については通常時からの変更を行わない。しかし、新たに伝送装置２０３から伝送装置２０１へのデータ転送の為の通過パス、伝送装置２０３から自身へのデータ転送の為の通過パス、伝送装置２０１から伝送装置２０３へのデータ転送の為の通過パス、及び、自身から伝送装置２０３へのデータ転送の為伝送装置２０１より折り返ってきたデータの通過パス、という４つの通過パスを新規に追加する。伝送装置２０３では、通常使用する側の伝送路が障害で使用出来ない為、分岐・挿入とも単純に装置の反対側で行うように、方路接続の変更を行う。
【００４３】
以上のように、リング網における方路接続機能を利用したプロテクションの方式であるリングパス切替では、その障害の発生形態に応じて、方路接続データをパターン化して用意することが可能である。装置数がｎ個で構成されるリング網の場合、１装置当たりで用意すべき方路接続パターンは、例えば２−ＦｉｂｅｒＢＬＳＲ方式のリング切替を使用するネットワークでは、装置区間数と同数である少なくともｎ通り用意しておけば良い。このｎ通りは、通常時に使用する標準パターン１通りと、区間障害に影響するパターンとして全区間数ｎから１区間差引いた（ｎ−１）通りの和から求められた値である。この実施の形態では、伝送装置数が３個から構成されるリング網であるので、双方向のパスが必ず同一ルートを通るという条件下では、合計３つの方路接続パターンを用意しておけばよい。
【００４４】
つぎに、図４に、リング網を構成する方路接続部の詳細構成図を示す。ここでは、一例として、図２（Ａ）に示した伝送装置２０１について説明する。伝送装置２０１は、信号の送受信を行うインタフェース部を少なくとも３つ備えている。機能的には、インタフェース部は２種類に分類できる。１種類目のインターフェース部は、リング網上の隣接伝送装置との信号の送受信を担当する。リング網を構成する伝送装置では、隣接伝送装置は両端に１装置ずつ、計２装置ある。従って、リング網を構成する為のインタフェース部は、１装置あたり、少なくとも２個以上である。慣例的に、リング上の２つのインタフェース部は、各々ウエスト（Ｗｅｓｔ）側インタフェース部３０１及びイースト（Ｅａｓｔ）側インタフェース部３０２と呼ばれている。２種類目のインターフェース部は、リング網外部との隣接装置との信号の送受信を担当する。リング網外部の隣接装置は、少なくとも１個以上である。従って、リング網外部とのインタフェース部は、１装置あたり、少なくとも１以上である。慣例的に、リング網外部とのインタフェース部は、トリビュタリ（Ｔｒｉｂｕｔａｒｙ）インタフェース部３０３と呼ばれている。これらの少なくとも３以上のインタフェース部の間に、受信データの行き先を決めるための方路接続部３０４が設けられる。
【００４５】
各インタフェース部は、送信側インタフェースと受信側インタフェースを有する。本例では、ウエスト側インタフェース部３０１は、送信側インタフェース（ＷＳ）３１１と受信側インタフェース（ＷＲ）３２１を有する。イースト側インタフェース部３０２は、送信側インタフェース（ＥＳ）３１２と受信側インタフェース（ＥＲ）３２２を有する。トリビュタリ側インタフェース部３０３は、送信側インタフェース（ＴＳ）３１３と受信側インタフェース（ＴＲ）３２３を有する。
【００４６】
リング網を構成する伝送装置では、パスを次の３種類に分類することができる。１種類目は、リング上のインタフェースから受信した信号をもう一方のリング上のインタフェースへ送信するスルー（Ｔｈｒｏｕｇｈ）パス。２種類目は、リング上のインタフェースから受信した信号をトリビュタリインタフェースへ送信するドロップ（Ｄｒｏｐ）パス。３種類目は、トリビュタリインタフェースから受信した信号をリング上のインタフェースへ送信するアッド（Ａｄｄ）パスである。アッドパスとドロップパスは、それぞれリング網内へのデータの流入パスと流出パスである。本例は、最も簡単なモデルの説明として、リング網上の各インタフェースは、スルーパスとアッド／ドロップパスを収容可能としており、且つ、リング切替を考えた場合の通常パスと予備パスの両方を収容可能であるとする。
【００４７】
これらの収容可能なパスに対して、各インタフェースで、以降の説明の為の名前を付ける。ＥＳ３１２が収容可能なパスのうち、通常運用（ワーキング、Ｗｏｒｋｉｎｇ）時使用するＷＲ３２１からのスルーパスをＥＳＴ（Ｗ）３３１と呼ぶ。ＥＳ３１２が収容可能なパスのうち、通常運用時使用するＴＲ３２３からのアッドパスをＥＳＡ（Ｗ）３３２と呼ぶ。通常状態において、伝送装置２０１には伝送装置２０２から伝送装置２０３へデータを転送する為のスルーパスが存在する。これを伝送路２１１又は２２１で障害が発生した場合に、使用不能伝送路である伝送路２１１及び２２２の手前で折り返すパスが必要となる。ＥＳ３１２が収容可能なパスのうち、障害発生（プロテクション、Ｐｒｏｔｅｃｔｉｏｎ）時、ＷＳ３１１に代わって収容するＥＲ３２２からのスルーパスをＥＳＴ（Ｐ）３３３と呼ぶ。 ＥＳ３１２が収容可能なパスのうち、障害発生時、ＷＳ３１１に代わって収容するＴＲ３２３からのアッドパスをＥＳＡ（Ｐ）３３４と呼ぶ。ＷＳ３１１が収容可能なパスのうち、通常運用時使用するＥＲ３２２からのスルーパスをＷＳＴ（Ｗ）３３５と呼ぶ。
【００４８】
また、ＷＳ３１１が収容可能なパスのうち、通常運用時使用するＴＲ３２３からのアッドパスをＷＳＡ（Ｗ）３３６と呼ぶ。通常状態において、伝送装置２０１では伝送装置２０３から伝送装置２０２へデータを転送する為のスルーパスを伝送路２１３又は２２３で障害が発生した場合に、使用不能伝送路である２１３及び２２３の手前で折り返すパスが必要となる。ＷＳ３１１が収容可能なパスのうち、障害発生時、ＥＳ３１２に代わって収容するＷＲ３２１からのスルーパスをＷＳＴ（Ｐ）３３７と呼ぶ。 ＷＳ３１１が収容可能なパスのうち、障害発生時、ＥＳ３１２に代わって収容するＴＲ３２３からのアッドパスをＷＳＡ（Ｐ）３３８と呼ぶ。ＴＳ３１３が収容可能なパスのうち、ＷＲ３２１からのドロップパスをＴＳＤ＜Ｗ＞３３９と呼ぶ。 ＴＳ３１３が収容可能なパスのうち、ＥＲ３２２からのドロップパスをＴＳＤ＜Ｅ＞３４０と呼ぶ。以上１０本のパス３３１〜３４０は、伝送装置からの出力パスである。
【００４９】
ＥＲ３２２が収容可能なパスのうち、通常運用時使用するＷＳ３１１へのスルーパスをＥＲＴ（Ｗ）３４１と呼ぶ。ＥＲ３２２が収容可能なパスのうち、通常運用時使用するＴＳ３１３へのドロップパスをＥＲＤ（Ｗ）３４２と呼ぶ。通常状態において、伝送装置２０１では伝送装置２０３から伝送装置２０２へデータを転送しているスルーパスを伝送路２１１又は２２１で障害が発生した場合に、使用不能伝送路である２１１及び２２１の手前で折り返すパスが必要となる。ＥＲ３２２が収容可能なパスのうち、障害発生時、ＷＲ３２１に代わって収容するＥＳ３１２へのスルーパスをＥＲＴ（Ｐ）３４３と呼ぶ。 ＥＲ３２２が収容可能なパスのうち、障害発生時、ＷＲ３２１に代わって収容するＴＳ３２３へのドロップパスをＥＲＤ（Ｐ）３４４と呼ぶ。ＷＲ３２１が収容可能なパスのうち、通常運用時使用するＥＳ３１２へのスルーパスをＷＲＴ（Ｗ）３４５と呼ぶ。
【００５０】
ＷＲ３２１が収容可能なパスのうち、通常運用時使用するＴＳ３２３へのドロップパスをＷＲＤ（Ｗ）３４６と呼ぶ。通常状態において、伝送装置２０１では伝送装置２０２から伝送装置２０３へデータを転送する為のスルーパスを伝送路２１３又は２２３で障害が発生した場合に、使用不能伝送路である２１３及び２２３の手前で折り返すパスが必要となる。ＷＲ３２１が収容可能なパスのうち、障害発生時、ＥＲ３２２に代わって収容するＷＳ３１１へのスルーパスをＷＲＴ（Ｐ）３４７と呼ぶ。 ＷＲ３２１が収容可能なパスのうち、障害発生時、ＥＲ３２２に代わって収容するＴＳ３１３へのドロップパスをＷＲＤ（Ｐ）３４８と呼ぶ。ＴＲ３２３が収容可能なパスのうち、ＷＳ３１１へのアッドパスをＴＲＡ＜Ｗ＞３４９と呼ぶ。 ＴＲ３２３が収容可能なパスのうち、ＥＳ３１２へのアッドパスをＴＲＡ＜Ｅ＞３５０と呼ぶ。以上１０本のパス３４１〜３５０は、装置への入力パスである。
【００５１】
従って、本例のモデルでは、方路接続部３０４は１０本の入力３４１〜３５０を持ち、１０本の出力３３１〜３４０へ方路接続を行う１０×１０スイッチ機能を持つ。以上が、リング網を構成する伝送装置の構成の説明である。
【００５２】
つぎに、図５〜７を参照して、２−Ｆｉｂｅｒ  ＢＬＳＲ方式のセルフヒーリングリングにおけるリングパス切替を実現するスイッチの動作を説明する。
【００５３】
図５は、通常運用時における方路接続を示したリングパス切替えの説明図である。この場合、全てのインタフェースを使用可能であり、全てワーキング側のパスを使用している。従って、方路接続パターンは次の様になる。スルーパスは、次の２つである。即ちＷＲＴ（Ｗ）３４５からＥＳＴ（Ｗ）３３１への接続及びＥＲＴ（Ｗ）３４１からＷＳＴ（Ｗ）３３５への接続である。ドロップパスは、次の２つである。即ち、ＷＲＤ（Ｗ）３４６からＴＳＤ＜Ｗ＞３３９への接続、及び、ＥＲＤ（Ｗ）３４２からＴＳＤ＜Ｅ＞３４０への接続である。アッドパスは、次の２つである。即ち、ＴＲＡ＜Ｗ＞３４９からＷＳＡ（Ｗ）３３６への接続、及び、ＴＲＡ＜Ｅ＞３５０からＥＳＡ（Ｗ）３３２への接続である。このように、伝送装置２０１は以上の６通りの方路接続を行う。
【００５４】
図６は、ウエスト側障害発生時における方路接続を示したリングパス切替えの説明図である。この場合、ウエスト側インタフェース部３０１は使用不能で、ウエスト側ワーキングパスの代わりに、イースト側プロテクションパスを使用する。従って、方路接続パターンは次の様になる。スルーパスは、次の２つである。即ちＥＲＴ（Ｐ）３４３からＥＳＴ（Ｗ）３３１への接続、及び、ＥＲＴ（Ｗ）３４１からＥＳＴ（Ｐ）３３３への接続である。ドロップパスは、次の２つである。即ち、ＥＲＤ（Ｐ）３４４からＴＳＤ＜Ｗ＞３３９への接続、及び、ＥＲＤ（Ｗ）３４２からＴＳＤ＜Ｅ＞３４０への接続である。アッドパスは、次の２つである。即ちＴＲＡ＜Ｗ＞３４９からＥＳＡ（Ｐ）３３４への接続、及び、ＴＲＡ＜Ｅ＞３５０からＥＳＡ（Ｗ）３３２への接続である。このように、伝送装置２０１は、以上の６通りの方路接続を行う。
【００５５】
図７は、イースト側障害発生時における方路接続を示したリングパス切替えの説明図である。この場合、イースト側インタフェース部３０２は使用不能で、イースト側ワーキングパスの代わりに、ウエスト側プロテクションパスを使用する。従って、方路接続パターンは次の様になる。スルーパスは、次の２つである。即ち、ＷＲＴ（Ｗ）３４５からＷＳＴ（Ｐ）３３７への接続、及び、ＷＲＴ（Ｐ）３４７からＷＳＴ（Ｗ）３３５への接続である。ドロップパスは、次の２つである。即ち、ＷＲＤ（Ｗ）３４６からＴＳＤ＜Ｗ＞３３９への接続、及び、ＷＲＤ（Ｐ）３４８からＴＳＤ＜Ｅ＞３４０への接続である。アッドパスは、次の２つである。即ち、ＴＲＡ＜Ｗ＞３４９からＷＳＡ（Ｗ）３３６への接続、及び、ＴＲＡ＜Ｅ＞３５０からＷＳＡ（Ｐ）３３８への接続である。このように伝送装置２０１は以上の６通りの方路接続を行う。
【００５６】
以上の様に、本発明においては、通常運用時、障害区間の種別毎に、パターン化した方路接続を行うことにより、セルフヒーリングリングにおけるリングパス切替を実現する。
【００５７】
図８及び９は、リングパス切替を実現する為に準備すべき、方路接続データパターンの一覧の説明図を示したものである。図８は、図５〜７において示した各運用形態における方路接続の一覧の説明図である。
【００５８】
この中で、図５において示した通常運用時の方路接続パターンに対し、パターン識別子”１１１”を、図６において示した通常運用時の方路接続パターンに対し、パターン識別子”１１２”を、図７において示した通常運用時の方路接続パターンに対し、パターン識別子”１１３”をそれぞれ付与している。
【００５９】
図９は、パターン記憶レジスタ群１０３に記憶されたデータの説明図を示す。この図は、図８において示した方路接続一覧を、図１で示した方路接続部１０１のメモリであるパターン記憶レジスタ群１０３上へ、データとして展開した例を示したものである。
【００６０】
この例では、パターン記憶レジスタ群１０３の、方路接続データパターン１１１として通常運用時の方路接続パターンを、方路接続データパターン１１２としてウエスト側障害発生時の方路接続パターンを、方路接続データパターン１１３としてイースト側障害発生時の方路接続パターンをそれぞれ設定している。本実施の形態では、一例として、各パターン記憶レジスタ群１０３の記憶領域の先頭からのアドレス位置で、出力側パスの位置を表現し、そこに書き込まれた内容で、入力側パスの位置を表現する方式を取っている。
【００６１】
各データの位置と、出力側パスの対応は次の通りである。即ち、先頭位置のアドレス１１１０、１１２０、１１３０、１１４０及び１１５０が、出力パスＥＳＴ（Ｗ）３３１へ接続する入力側パスのデータを書き込む位置である。先頭から２番目の位置のアドレス１１１１、１１２１、１１３１、１１４１及び１１５１が、出力側パスＥＳＡ（Ｗ）３３２へ接続する入力側パスのデータを書き込む位置である。先頭から３番目の位置のアドレス１１１２、１１２２、１１３２、１１４２及び１１５２が、出力側パスＥＳＴ（Ｐ）３３３へ接続する入力側パスのデータを書き込む位置である。先頭から４番目の位置のアドレス１１１３、１１２３、１１３３、１１４３及び１１５３が、出力側パスＥＳＡ（Ｐ）３３４へ接続する入力側パスのデータを書き込む位置である。先頭から５番目の位置のアドレス１１１４、１１２４、１１３４、１１４４及び１１５４が、出力側パスＷＳＴ（Ｗ）３３５へ接続する入力側パスのデータを書き込む位置である。先頭から６番目の位置のアドレス１１１５、１１２５、１１３５、１１４５及び１１５５が、出力側パスＷＳＡ（Ｗ）３３６へ接続する入力側パスのデータを書き込む位置である。先頭から７番目の位置のアドレス１１１６、１１２６、１１３６、１１４６及び１１５６が、出力側パスＷＳＴ（Ｐ）３３７へ接続する入力側パスのデータを書き込む位置である。先頭から８番目の位置のアドレス１１１７、１１２７、１１３７、１１４７及び１１５７が、出力側パスＷＳＡ（Ｐ）３３８へ接続する入力側パスのデータを書き込む位置である。先頭から９番目の位置のアドレス１１１８、１１２８、１１３８、１１４８及び１１５８が、出力側パスＴＳＤ＜Ｗ＞３３９へ接続する入力側パスのデータを書き込む位置である。そして先頭から１０番目の位置のアドレス１１１９、１１２９、１１３９、１１４９及び１１５９が、出力側パスＴＳＤ＜Ｅ＞３４０へ接続する入力側パスのデータを書き込む位置である。以上の様にパターン記憶レジスタ群１０３には、各アドレスに接続すべき入力側パスを識別するデータが書き込まれている。
【００６２】
通常運用時は、パターン識別子記憶レジスタ１０５へパターン識別子”１１１”を設定し、ウエスト側障害発生時には、パターン識別子”１１２”を設定し、またイースト側障害発生時には、パターン識別子”１１３”を設定する。これにより、それぞれの場合について、アドレス１１１０〜１１１９、アドレス１１２０〜１１２９、また、アドレス１１３０〜１１３９のデータが、各々方路接続データ記憶レジスタ群１７１〜１８０へ設定される。この様にして、このような方路接続部を、２Ｆｉｂｅｒ  ＢＬＳＲのセルフヒーリングリング網２００における伝送装置２０１へ適用する。
【００６３】
つぎに、図１０及び図１１に、各々伝送装置２０２及び伝送装置２０３におけるパターン記憶レジスタ群１０３のデータの説明図を示す。これらの図は、方路接続一覧を、図１で示した方路接続部１０１のメモリであるパターン記憶レジスタ群１０３上へ、データとして展開した例を示したものである。尚、ここでは、便宜的に接続元、接続先のパスに次の様な名前を付与している。
【００６４】
先ず、伝送装置２０２のパス名の説明を行う。伝送装置２０２のウエスト側は、伝送路２１２及び２２２に接続されており、ウエスト側の直近の装置は伝送装置２０３である。イースト側は、伝送路２１１及び２２１に接続されており、イースト側直近の装置は伝送装置２０１である。通常運用（ワーキング）時、伝送装置２０２は、使用しない伝送路２１２及び２２２の片端の装置であるので、イースト側のみを使用する。伝送路２１１からのドロップパスのうち、伝送装置２０１からのパスをＥＲＤ＜１２＞（Ｗ）と呼ぶ。伝送路２１１からのドロップパスのうち、伝送装置２０３からのパスをＥＲＤ＜３２＞（Ｗ）と呼ぶ。伝送路２２１へのアッドパスのうち、伝送装置２０１へのパスをＥＳＡ＜２１＞（Ｗ）と呼ぶ。伝送路２２１へのアッドパスのうち、伝送装置２０３へのパスをＥＳＡ＜２３＞（Ｗ）と呼ぶ。
【００６５】
伝送路２１３又は伝送路２２３に障害が発生した場合、伝送装置２０２では伝送装置２０１から伝送装置２０３へデータを転送する為のスルーパスが新規に設定される。このうち、自身が一旦通常のパスを使用して伝送装置２０１へ送り、伝送装置２０１で折り返って来たものを伝送装置２０３側へスルーさせるパスの受信側をＥＲＴ＜２３＞（Ｐ）と呼ぶ。また、この中で、伝送装置２０１で挿入されたパスの受信側をＥＲＴ＜１３＞（Ｐ）と呼ぶ。また、同様に、伝送装置２０３から伝送装置２０１へデータを転送する為のスルーパスが新規に設定される。このうち、伝送装置２０３から自身へデータを転送してきたパスをそのまま伝送装置２０１へスルーするパスの送信側をＥＳＴ＜３２＞（Ｐ）と呼ぶ。また、この中で、伝送装置２０１で分岐されるパスの送信側をＥＳＴ＜３１＞（Ｐ）と呼ぶ。
【００６６】
次に、伝送装置２０２のウエスト側のパスの説明を行う。尚、伝送装置２０２のウエスト側パスは、障害発生時における予備パスとしてのみ使用される。伝送路２１１又は２２１区間で障害が発生した場合には、このうち、アッド及びドロップパスのみを使用する。伝送路２２２からのドロップパスのうち、伝送装置２０１からのパスをＷＲＤ＜１２＞（Ｐ）と呼び、伝送装置２０３からのパスをＷＲＤ＜３２＞（Ｐ）と呼ぶ。伝送路２１２へのアッドパスのうち、伝送装置２０１へのパスをＷＳＡ＜２１＞（Ｐ）と呼び、伝送装置２０３へのパスをＷＳＡ＜２３＞（Ｐ）と呼ぶ。
【００６７】
伝送路２１３又は伝送路２２３に障害が発生した場合、伝送装置２０２では伝送装置２０３から伝送装置２０１へデータを転送する為のスルーパスが新規に設定される。このうち、自身が一旦通常のパスを使用して伝送装置２０１へ送り、伝送装置２０１で折り返って来たものを伝送装置２０３側へスルーさせるパスの送信側をＷＳＴ＜２３＞（Ｐ）と呼ぶ。また、この中で、伝送装置２０１で挿入されたパスの送信側をＷＳＴ＜１３＞（Ｐ）と呼ぶ。また、同様に、伝送装置２０３から伝送装置２０１へデータを転送する為のスルーパスが新規に設定される。このうち、伝送装置２０３から自身へデータを転送してきたパスをそのまま伝送装置２０１へスルーするパスの受信側をＷＲＴ＜３２＞（Ｐ）と呼ぶ。また、この中で、伝送装置２０１で分岐されるパスの受信側をＷＲＴ＜３１＞（Ｐ）と呼ぶ。伝送装置２０２のトリビュタリ側の入力伝送路２３２の中で、装置２０１へのアッドパスをＴＲＡ＜２０１＞と呼ぶ。伝送装置２０２のトリビュタリ側の入力伝送路２３２の中で、装置２０３へのアッドパスをＴＲＡ＜２０３＞と呼ぶ。伝送装置２０２のトリビュタリ側の出力伝送路２４２の中で、装置２０１からのドロップパスをＴＳＤ＜２０１＞と呼ぶ。伝送装置２０２のトリビュタリ側の出力伝送路２４２の中で、装置２０３からのドロップパスをＴＳＤ＜２０３＞と呼ぶ。
【００６８】
次に、伝送装置２０３のパス名の説明を行う。伝送装置２０３のウエスト側は、伝送路２１３及び２２３に接続されており、ウエスト側の直近の装置は、伝送装置２０１である。イースト側は、伝送路２１２及び２２２に接続されており、イースト側直近の装置は、伝送装置２０２である。通常運用（ワーキング）時、伝送装置２０３は、使用しない伝送路２１２及び２２２の片端の装置であるので、ウエスト側のみを使用する。伝送路２２３からのドロップパスのうち、伝送装置２０１からのパスをＷＲＤ＜１３＞（Ｗ）と呼ぶ。伝送路２２３からのドロップパスのうち、伝送装置２０２からのパスをＷＲＤ＜２３＞（Ｗ）と呼ぶ。伝送路２１３へのアッドパスのうち、伝送装置２０１へのパスをＷＳＡ＜３１＞（Ｗ）と呼ぶ。伝送路２１３へのアッドパスのうち、伝送装置２０２へのパスをＥＳＡ＜３２＞（Ｗ）と呼ぶ。
【００６９】
伝送路２１１又は伝送路２２１に障害が発生した場合、伝送装置２０３では伝送装置２０１から伝送装置２０２へデータを転送する為のスルーパスが新規に設定される。このうち、自身が一旦通常のパスを使用して伝送装置２０１へ送り、伝送装置２０１で折り返って来たものを伝送装置２０２側へスルーさせるパスの受信側をＷＲＴ＜３２＞（Ｐ）と呼ぶ。また、この中で、伝送装置２０１で挿入されたパスの受信側をＷＲＴ＜１２＞（Ｐ）と呼ぶ。また、同様に、伝送装置２０２から伝送装置２０１へデータを転送する為のスルーパスが新規に設定される。このうち、伝送装置２０２から自身へデータを転送してきたパスをそのまま伝送装置２０１へスルーするパスの送信側をＷＳＴ＜２３＞（Ｐ）と呼ぶ。また、この中で、伝送装置２０１で分岐されるパスの送信側をＷＳＴ＜２１＞（Ｐ）と呼ぶ。
【００７０】
次に、伝送装置２０３のイースト側のパスの説明を行う。尚、伝送装置２０３のイースト側パスは、障害発生時における予備パスとしてのみ使用される。伝送路２１３及び２２３区間で障害が発生した場合には、このうち、アッド及びドロップパスのみを使用する。伝送路２１２からのドロップパスのうち、伝送装置２０１からのパスをＥＲＤ＜１３＞（Ｐ）と呼び、伝送装置２０２からのパスをＥＲＤ＜２３＞（Ｐ）と呼ぶ。伝送路２２２へのアッドパスのうち、伝送装置２０１へのパスをＥＳＡ＜３１＞（Ｐ）と呼び、伝送装置２０２へのパスをＥＳＡ＜３２＞（Ｐ）と呼ぶ。
【００７１】
伝送路２１１又は伝送路２２１に障害が発生した場合、伝送装置２０３では伝送装置２０２から伝送装置２０１へデータを転送する為のスルーパスが新規に設定される。このうち、自身が一旦通常のパスを使用して伝送装置２０１へ送り、伝送装置２０１で折り返って来たものを伝送装置２０２側へスルーさせるパスの送信側をＥＳＴ＜３２＞（Ｐ）と呼ぶ。また、この中で、伝送装置２０１で挿入されたパスの送信側をＥＳＴ＜１２＞（Ｐ）と呼ぶ。また、同様に、伝送装置２０２から伝送装置２０１へデータを転送する為のスルーパスが新規に設定される。このうち、伝送装置２０２から自身へデータを転送してきたパスをそのまま伝送装置２０１へスルーするパスの受信側をＥＲＴ＜２３＞（Ｐ）と呼ぶ。また、この中で、伝送装置２０１で分岐されるパスの受信側をＥＲＴ＜２１＞（Ｐ）と呼ぶ。伝送装置２０３のトリビュタリ側の入力伝送路２３３の中で、装置２０１へのアッドパスをＴＲＡ＜２０１＞と呼ぶ。伝送装置２０３のトリビュタリ側の入力伝送路２３３の中で、装置２０２へのアッドパスをＴＲＡ＜２０２＞と呼ぶ。伝送装置２０３のトリビュタリ側の出力伝送路２４３の中で、装置２０１からのドロップパスをＴＳＤ＜２０１＞と呼ぶ。伝送装置２０３のトリビュタリ側の出力伝送路２４３の中で、装置２０２からのドロップパスをＴＳＤ＜２０２＞と呼ぶ。
【００７２】
伝送装置２０２においては、通常運用時には、パターン識別子記憶レジスタ１０５へパターン識別子１１１を設定し、伝送路２１１又は２２１障害発生時には、パターン識別子１１２を、伝送路２１３又は２２３障害発生時には、パターン識別子１１３を設定する。これにより、それぞれの場合について、アドレス１１１０〜１１１９、アドレス１１２０〜１２２９、アドレス１１３０〜１１３９のデータが、各々方路接続データ記憶レジスタ群１７１〜１８０へ設定される。この様にして、このような方路接続部を、２−Ｆｉｂｅｒ  ＢＬＳＲのセルフヒーリングリング網２００上の伝送装置２０２へ適用する。
【００７３】
尚、伝送装置２０２の出力方路には、予備パターン記憶レジスタのアドレスととして、次の様な割り振りを行っている。ＥＳＡ＜２３＞（Ｗ）へ接続する入力側パスを記憶するアドレスは、アドレス１１１０、１１２０及び１１３０である。ＥＳＡ＜２１＞（Ｗ）へ接続する入力側パスを記憶するアドレスは、アドレス１１１１、１１２１及び１１３１である。ＥＳＴ＜３１＞（Ｐ）へ接続する入力側パスを記憶するアドレスは、アドレス１１１２、１１２２及び１１３２である。ＥＳＴ＜３２＞（Ｐ）へ接続する入力側パスを記憶するアドレスは、アドレス１１１３、１１２３及び１１３３である。ＷＳＡ＜２３＞（Ｐ）へ接続する入力側パスを記憶するアドレスは、アドレス１１１４、１１２４及び１１３４である。ＷＳＡ＜２１＞（Ｐ）へ接続する入力側パスを記憶するアドレスは、アドレス１１１５、１１２５及び１１３５である。ＷＳＴ＜１３＞（Ｐ）へ接続する入力側パスを記憶するアドレスは、アドレス１１１６、１１２６及び１１３６である。 ＷＳＴ＜２３＞（Ｐ）へ接続する入力側パスを記憶するアドレスは、アドレス１１１７、１１２７及び１１３７である。ＴＳＤ＜２０３＞へ接続する入力側パスを記憶するアドレスは、アドレス１１１８、１１２８及び１１３８である。ＴＳＤ＜２０１＞へ接続する入力側パスを記憶するアドレスは、アドレス１１１９、１１２９及び１１３９である。
【００７４】
伝送装置２０３においても、各障害に対応した方路接続パターンの選択は同様である。この様にして、上述のような方路接続部を、２−Ｆｉｂｅｒ  ＢＬＳＲのセルフヒーリングリング網２００上の伝送装置２０３へ適用する。尚、本実施の形態の伝送装置２０３の出力方路には、予備パターン記憶レジスタのアドレスとして、次の様な割り振りを行っている。すなわち、ＥＳＡ＜３２＞（Ｐ）へ接続する入力側パスを記憶するアドレスは、アドレス１１１０、１１２０及び１１３０である。ＥＳＡ＜３１＞（Ｐ）へ接続する入力側パスを記憶するアドレスは、アドレス１１１１、１１２１及び１１３１である。ＥＳＴ＜１２＞（Ｐ）へ接続する入力側パスを記憶するアドレスは、アドレス１１１２、１１２２及び１１３２である。ＥＳＴ＜３２＞（Ｐ）へ接続する入力側パスを記憶するアドレスは、アドレス１１１３、１１２３及び１１３３である。ＷＳＡ＜３２＞（Ｗ）へ接続する入力側パスを記憶するアドレスは、アドレス１１１４、１１２４及び１１３４である。ＷＳＡ＜３１＞（Ｗ）へ接続する入力側パスを記憶するアドレスは、アドレス１１１５、１１２５及び１１３５である。ＷＳＴ＜２１＞（Ｐ）へ接続する入力側パスを記憶するアドレスは、アドレス１１１６、１１２６及び１１３６である。 ＷＳＴ＜２３＞（Ｐ）へ接続する入力側パスを記憶するアドレスは、アドレス１１１７、１１２７及び１１３７である。ＴＳＤ＜２０１＞へ接続する入力側パスを記憶するアドレスは、アドレス１１１８、１１２８及び１１３８である。 ＴＳＤ＜２０２＞へ接続する入力側パスを記憶するアドレスは、アドレス１１１９、１１２９及び１１３９である。
【００７５】
（３）４−Ｆｉｂｅｒ  ＢＬＳＲ及びＵＰＳＲのリング網
この他、同様にして各伝送装置間の伝送路に冗長構成を持つ４−Ｆｉｂｅｒ  ＢＬＳＲセルフヒーリングリング網、ＵＰＳＲ網への適用も可能である。
【００７６】
４−Ｆｉｂｅｒ  ＢＬＳＲの場合には、障害の形態として、伝送路区間の現用系単一障害の発生の場合と、現用及び予備の両系障害の発生の場合とで、各々障害区間の迂回経路が異なる。以下に、４−Ｆｉｂｅｒ  ＢＬＳＲの場合における概略を説明する。
【００７７】
先ず、伝送路区間の単一系障害時には、現用から予備伝送路への１＋１切替を行う。これにより、伝送路区間の単一系障害時には、障害発生区間の両端装置に閉じたパスの設定変更のみで、リング網全体のトラフィックの救済が可能である。一方、伝送路区間の両系障害時には、２−Ｆｉｂｅｒ  ＢＬＳＲの場合と同様の考え方で、リング切替を行う。この場合は、リング内の全装置で、パスの設定変更を行う必要がある。従って、予め用意しておくべき予備の方路接続パターンの数は、リング網を構成する伝送装置数がｎ個の場合、少なくとも４ｎ−（２×２）通り必要となる。
【００７８】
以下に、このパターン数の内訳を説明する。先ず、リング切替を基準に考えると、パターン数は、単純にリング網を構成する伝送装置数分のパス設定パターン数であるｎ通りだけあればよい。しかし、この方式では伝送装置両端で各々０系及び１系を独立に選択可能である為、スルーパス１本あたりに対して、（１）ウエスト側０系選択且つイースト側０系選択、（２）ウエスト側１系選択且つイースト側０系選択、（３）ウエスト側０系選択且つイースト側１系選択、及び、（４）ウエスト側１系選択且つイースト側１系選択、の合計４つのパターンが必要となる。従って、リングパス切替のパス設定パターンは、各々４通りの１＋１切替に対応したバリエーションを持つことになり、４ｎ通りとなる。
【００７９】
また、伝送装置の直近の伝送路に障害が発生した場合を考えると、この場合は、伝送装置の両側の伝送路間の組み合わせを考える必要が無い。つまり、（１）０系選択及び（２）１系選択の合計２通りのバリエーションしか持たない。即ち、伝送装置の直近の伝送路障害が発生した場合に、１＋１切替により発生するバリエーションは、その他の障害発生時に比べて、２通り分少なくて良い。また、装置の直近の伝送路は、ウエスト側とイースト側の２つが存在する。従って、リングパス切替に対応したパス設定パターン毎の１＋１切替によるバリエーションを考慮した数４ｎより、装置の直近の伝送路障害時のバリエーションの余分２（０系／１系）×２（ウエスト／イースト）を引いた数分、即ち（４ｎ−２×２）通りのパス設定パターンを最低限用意しておけば良いことになる。
【００８０】
図１２及び１３に、４−Ｆｉｂｅｒ  ＢＬＳＲのリングパス切替えの説明図を示す。図１２（Ａ）に示されるように、このリング網は、４つの伝送装置Ａ，Ｂ，Ｃ，Ｄで構成される４−Ｆｉｂｅｒ  ＢＬＳＲリング網の例である。４−Ｆｉｂｅｒ  ＢＬＳＲの場合と、２−Ｆｉｂｅｒ  ＢＬＳＲの場合との違いは、各伝送装置間を上り下りの２本の線路が、更に０系１系の冗長構成を取っている点である。図１２（Ｂ）は、通常時の伝送装置Ｄから伝送装置Ｃへのデータの流れを表わしている。この例では、通常状態では、全ての伝送路区間で、０系伝送路を選択している。尚、本例では、通常時においては、伝送装置Ｃ〜Ｄ間の伝送路を使用しないものとしている。
【００８１】
図１３（Ａ）は、伝送装置Ａ〜Ｂの０系にのみ障害が発生した場合における、伝送装置Ｄから伝送装置Ｃへのデータの流れを表わしている。この場合、０系に障害が発生している伝送装置Ａ〜Ｂ間のみ、１系を選択し、他の伝送路区間では、通常時と全く同様のデータ転送を行っている。また、この時、リングパスの切替は行われていない。図１３（Ｂ）は、伝送装置Ｂ〜Ｃ間で両系障害が発生した場合における、伝送装置Ｄから伝送装置Ｃへのデータの流れを表わしている。この場合、伝送装置ＤからＡを経由してＢへ到るパスは、通常時と同様であるが、障害区間の片端にあたる伝送装置Ｂで、元来た方向へ折り返す、リング切替が行われている。この伝送装置Ｂで折り返されたパスが、更に伝送装置Ａ、伝送装置Ｄを経由し、伝送装置Ｃに到達する。
【００８２】
図１４及び図１５に、４−Ｆｉｂｅｒ  ＢＬＳＲリング網の方路接続データパターンの一覧の説明図を示す。この場合の方路接続データパターンは、図１４と図１５とでひと組であり、一例として、４−Ｆｉｂｅｒ  ＢＬＳＲリング網上の伝送装置Ａにおける方路接続データパターンを記憶するレジスタ群へ設定されるデータの一覧を示したものである。また、図１６に、４−Ｆｉｂｅｒ  ＢＬＳＲリング網の方路接続データパターンの出力パス記号及び入力パス記号の説明図を示す。
【００８３】
図１４及び１５は、図８に示した２−Ｆｉｂｅｒ  ＢＬＳＲの場合のデータ一覧に対応している。これらの図には、出力側パスに対応して接続される入力側パスが表される。図１４に示されるように、通常時の接続パターンとしては、ウェスト側とイースト側それぞれ０系又は１系を選択した組み合わせの４通りがある。伝送装置Ａ−Ｂ間の障害時のパターンとしては、ウェスト側を選択しないため、イースト側のみの０系又は１系を選択した組み合わせの２通りとなる。
【００８４】
また、図１５に示されるように、伝送装置Ｄ−Ａ間の障害時のパターンとしては、同様に、ウェスト側のみの０系又は１系を選択した組み合わせの２通りとなる。伝送装置Ｂ−Ｃ間の障害時のパターンとしては、伝送装置Ａは、ウェスト側とイースト側についてそれぞれ０系又は１系を選択した組み合わせの４通りとなる。
【００８５】
また、ＵＰＳＲリング網においては、送信機能としては、予め現用及び予備の双方向に対して、データを複製して挿入する為、ドロップ側（受信側）伝送装置の動作にＵＰＳＲリング網の特徴が有る。具体的には、受信側伝送装置のセレクタ等の選択回路により、平常時においては送信側伝送路と反対方向の伝送路からの入力をドロップする。一方、現用伝送路の障害発生時には、送信側伝送路と同一方向からの入力をドロップする。
【００８６】
例えば、４つの伝送装置Ａ，Ｂ，Ｃ，Ｄで構成されるＵＰＳＲリング網の場合、伝送装置Ａにおける方路接続データパターンを考えると、次のようになる。まず、伝送装置Ａ−Ｂ間の障害、伝送装置Ｂ−Ｃ間の障害、伝送装置Ｃ−Ｄ間の障害及び  伝送装置Ｄ−Ａ間の障害の４通りがある。そして、伝送装置Ａでは、これらの各障害に対応して、各伝送装置Ｂ〜Ｃとの通信に対して時計回り方向又は反時計回り方向のいずれかの伝送路を用いるかを表したパターンが必要である。よって、このような４通りの障害に対して、４通りの方路接続データパターンを用意すればよいことになる。すなわちＵＰＳＲリング網の場合には、少なくとも、平常時に使用する方路接続情報群と、障害発生時に使用する方路接続情報群の区間数分の方路接続情報を予め記憶しておくようにすればよい。
【００８７】
【発明の効果】
本発明によると、以上のように、次のような顕著な効果を奏する。すなわち、
第一に、方路接続データの転送速度を短縮することができること、
第二に、方路接続制御時における、装置内バスのトラフィックに対する影響を緩和することができること、
第三に、旧方路接続パターンから新方路接続パターンへ切替える切替過渡状態を短縮することができることである。
【００８８】
【図面の簡単な説明】
【図１】本発明に係わる方路接続部の構成図。
【図２】一般的なセルフヒーリングリングにおけるリングパス切替の説明図（１）。
【図３】一般的なセルフヒーリングリングにおけるリングパス切替の説明図（２）。
【図４】リング網を構成する方路接続部の詳細構成図。
【図５】通常運用時における方路接続を示したリングパス切替えの説明図。
【図６】ウエスト側障害発生時における方路接続を示したリングパス切替えの説明図。
【図７】イースト側障害発生時における方路接続を示したリングパス切替えの説明図。
【図８】方路接続データパターンの一覧の説明図（１）。
【図９】方路接続データパターンの一覧の説明図（２）。
【図１０】伝送装置２０２におけるパターン記憶レジスタ群１０３のデータの説明図。
【図１１】伝送装置２０３におけるパターン記憶レジスタ群１０３のデータの説明図。
【図１２】４−Ｆｉｂｅｒ  ＢＬＳＲのリングパス切替えの説明図（１）。
【図１３】４−Ｆｉｂｅｒ  ＢＬＳＲのリングパス切替えの説明図（２）。
【図１４】４−Ｆｉｂｅｒ  ＢＬＳＲリング網の方路接続データパターンの一覧の説明図（１）。
【図１５】４−Ｆｉｂｅｒ  ＢＬＳＲリング網の方路接続データパターンの一覧の説明図（２）。
【図１６】４−Ｆｉｂｅｒ  ＢＬＳＲリング網の方路接続データパターンの出力パス記号及び入力パス記号の説明図。
【図１７】２−Ｆｉｂｅｒ  ＢＬＳＲのネットワークの説明図。
【図１８】４−Ｆｉｂｅｒ  ＢＬＳＲのネットワークの説明図（１）。
【図１９】４−Ｆｉｂｅｒ  ＢＬＳＲのネットワークの説明図（２）。
【図２０】ＵＰＳＲのネットワークの説明図。
【符号の説明】
１０１  方路接続部
１０２  スイッチ部
１０３  パターン記憶レジスタ群
１０４  方路接続データ制御機能部
１０５  パターン識別子記憶レジスタ
１０６  ローカルバス
１０７  装置内バス
１０８  ＣＰＵ
１０９  主信号インタフェース部
１１０  装置内クロック処理部
１１１          通常の方路接続データパターン
１１２〜１１５  予備の方路接続データパターン
１２１〜１３０  スイッチ入力
１３１〜１４０  スイッチ出力
１５１〜１６０  入力側スイッチ接点
１６１〜１７０  出力側スイッチ接点
１７１〜１８０  方路接続データ記憶レジスタ群
１８１〜１９０  方路
１９１、１９２  直並列変換機能
１９３、１９４  並直列変換機能
１９５〜１９８  時分割多重データ
２００  リング網
２０１〜２０３  伝送装置
２１１〜２１３、２２１〜２２３  伝送路
２３１〜２３３  挿入伝送路
２４１〜２４３  分岐伝送路
３０１  ウエスト側インタフェース部
３０２  イースト側インタフェース部
３０３  トリビュタリインタフェース部
３０４  方路接続部
３１１〜３１３  送信側インタフェース
３２１〜３２３  受信側インタフェース
３３１〜３４０  送信側パス
３４１〜３５０  受信側パス
１１１０〜１１５９  アドレス
１４０１〜１４０４  折り返しパス
【図１】
0004000218.tif 000002
【図２】
0004000218.tif 000003
【図３】
0004000218.tif 000004
【図４】
0004000218.tif 000005
【図５】
0004000218.tif 000006
【図６】
0004000218.tif 000007
【図７】
0004000218.tif 000008
【図８】
0004000218.tif 000009
【図９】
0004000218.tif 000010
【図１０】
0004000218.tif 000011
【図１１】
0004000218.tif 000012
【図１２】
0004000218.tif 000013
【図１３】
0004000218.tif 000014
【図１４】
0004000218.tif 000015
【図１５】
0004000218.tif 000016
【図１６】
0004000218.tif 000017
【図１７】
0004000218.tif 000018
【図１８】
0004000218.tif 000019
【図１９】
0004000218.tif 000020
【図２０】
0004000218.tif 000021